(57)【要約】【課題】採取可能なサンプル量が微量である涙液であっても、その中に含まれるタンパク質の含有量を有利に検出することが可能な涙液分析試薬、並びに、そのような涙液分析試薬を用いて、涙液中のタンパク質の含有量を簡易且つ安価に検出する分析方法を、提供すること。【解決手段】涙液中のタンパク質の含有量を検出するための涙液分析試薬として、溶媒中に、テトラブロモフェノールブルーが、発色試薬として、３０〜１５０ｐｐｍとなるように、溶解せしめられているものを、採用した。【選択図】          なし【特許請求の範囲】
【請求項１】
涙液中のタンパク質の含有量を検出するための涙液分析試薬であって、溶媒中に、テトラブロモフェノールブルーが、発色試薬として、３０〜１５０ｐｐｍとなるように、溶解せしめられていることを特徴とする涙液分析試薬。
【請求項２】
ｐＨが、３以下である請求項１に記載の涙液分析試薬。
【請求項３】
請求項１又は請求項２に記載の涙液分析試薬に対し、涙液を接触せしめることにより、涙液中のタンパク質の含有量を検出することを特徴とする涙液分析方法。
【請求項４】
涙液を予め所定の涙液採取媒体に採取した後、該涙液採取媒体を、前記涙液分析試薬に接触せしめるようにしたことを特徴とする請求項３に記載の涙液分析方法。
【請求項５】
前記涙液採取媒体が、糸、紙、中空管、ポリマーフィルム、又はスポンジである請求項４に記載の涙液分析方法。
【請求項６】
前記タンパク質の含有量の検出が、比色分析法、分光分析法、又はそれらの分析法を組み合わせた分析法にて、行なわれる請求項３乃至請求項５の何れかに記載の涙液分析方法。
【発明の詳細な説明】
【０００１】
【技術分野】
本発明は、涙液分析試薬及びそれを用いた涙液分析方法に係り、特に、涙液中に含まれるタンパク質の含有量を検出するための涙液分析試薬と、そのような涙液分析試薬を用いて、涙液中のタンパク質の含有量を検出する分析方法に関するものである。
【０００２】
【背景技術】
近年においては、眼に対する安全性を考慮して、コンタクトレンズに充分な酸素透過性を付与するために、有機シリコーン系成分を高い割合において含むコンタクトレンズが、各種提案されてきているのであるが、そのようなコンタクトレンズにあっては、有機シリコーン成分の配合量を増加させることにより、Ｄｋ値（酸素透過係数）の向上が効果的に実現されるものの、それに付随して、涙液中に含まれる蛋白質や脂質等による汚れが付着し易いものとなっている。中でも、タンパク質は、コンタクトレンズの表面や内部に、徐々に固着、蓄積されて、その除去が難しい傾向にあり、また、そのようなタンパク質の固着、蓄積によって、コンタクトレンズの装用感の悪化や酸素透過性能の低下、レンズ寿命の低下、視力の低下、角膜障害等といった様々な問題が惹起せしめられる恐れがある。
【０００３】
なお、そのようなコンタクトレンズのタンパク質汚れは、涙液中のタンパク質含有量が多い装用者ほど、付着し易い傾向にあり、このため、コンタクトレンズを購入乃至は選定するに際して、涙液中に含まれるタンパク質量を測定し、装用者が、コンタクトレンズを汚し易いのかどうか、ひいては、上述せる如きレンズ汚れに起因する問題を惹起し易いかどうかを、予め推測することが、望ましいと言える。
【０００４】
ところで、涙液中のタンパク質の定量は、採取可能な涙液の量が極めて微量（０．１〜１００μＬ程度）であるところから、従来より、電気泳動法、液体クロマトグラフィー、イライザ法等によって行なわれているのであるが、これらの方法は、長い検出時間を要したり、検出操作が煩雑であったり、高いコストが掛かる等の各種の欠点を内在しており、コンタクトレンズの購入乃至は選定時に、安易に実施することが出来ないものであったのである。なお、涙液を採取する手法としては、糸や紙、中空管等の採取媒体を眼瞼の内側に挿入する手法等が知られている（例えば、特許文献１参照）。
【０００５】
また、タンパク質の検出方法としては、特開２００１−２８１２５６号公報（特許文献２）や特開平１１−５１９４１号公報（特許文献３）において、眼分秘物（タンパク質）の検出方法や、尿等の生物学的流体中に存在するタンパク質の検出方法が、それぞれ、提案されているのであるが、本発明において採用される発色試薬については、何等記載されていない。
【０００６】
さらに、実開平５−４０８７４号公報（特許文献４）には、呈色比較色調体が提案され、ｐＨ指示薬のタンパク誤差法によって尿中のタンパク質を検査するために用いられる尿蛋白質試験紙に、呈色剤として、テトラブロモフェノールブルーを用いることが記載されている。また、特表平８−５０５９３８号公報（特許文献５）には、即時応答性検査パネルが提案されており、この中で、目視インジケーターとして、テトラブロモフェノールブルー等が挙げられ、このインジケーターの色調によって、血液、血清、血漿、尿、尿道排出物、涙、膣液、頸部浸出液・・・等の体液中の分析物（例えば、タンパク質）の存在又は欠失が分かることが記載されている。加えて、特開平１１−３０４８０３号公報（特許文献６）には、試料中のタンパク質の分析方法及びそのキットが提案され、その中で、ブロモクロロフェノールブルーやテトラブロモフェノールブルー等のトリフェニルメタン系色素とタンパク質との会合体を、疎水性フィルタに吸着せしめて、タンパク質の分析を行なう手法が明らかにされている。しかしながら、何れの公知例も、尿中に含まれるタンパク質の検出を主要な目的としているところから、濃度や絶対量等が異なる、微量の涙液中に存在するタンパク質の含有量を検出するための具体的な手法については、何等検討されてはいない。
【０００７】
【特許文献１】
特開平４−１７０９３２号公報
【特許文献２】
特開２００１−２８１２５６号公報
【特許文献３】
特開平１１−５１９４１号公報
【特許文献４】
実開平５−４０８７４号公報
【特許文献５】
特表平８−５０５９３８号公報
【特許文献６】
特開平１１−３０４８０３号公報
【０００８】
【解決課題】
ここにおいて、本発明は、かかる事情を背景にして為されたものであって、その主たる解決課題とするところは、採取可能なサンプル量が微量である涙液であっても、その中に含まれるタンパク質の含有量を有利に検出することが可能な涙液分析試薬、並びに、そのような涙液分析試薬を用いて、涙液中のタンパク質の含有量を簡易且つ安価に検出する分析方法を、提供することにある。
【０００９】
【解決手段】
そして、本発明は、上述の如き課題を解決するために為されたものであって、その要旨とするところは、涙液中のタンパク質の含有量を検出するための涙液分析試薬であって、溶媒中に、テトラブロモフェノールブルーが、発色試薬として、３０〜１５０ｐｐｍとなるように、溶解せしめられていることを特徴とする涙液分析試薬にある。
【００１０】
要するに、かくの如き本発明に従う涙液分析試薬にあっては、発色試薬として、テトラブロモフェノールブルーが採用されていると共に、かかるテトラブロモフェノールブルーの濃度が、３０〜１５０ｐｐｍとされているところから、微量の涙液であっても、従来より涙液中のタンパク質の検出に採用されている、電気泳動法、液体クロマトグラフィー、イライザ法等の、長い検出時間を要したり、検出操作が煩雑であったり、高いコストが掛かる分析手法を用いることなく、短時間で、簡易に且つ安価に、タンパク質の含有量を有利に検出することが出来るのである。
【００１１】
これにより、コンタクトレンズの購入や選定に際して、装用者に大きな経済的負担をかけることなく、また、検査の煩わしさを与えることも無く、涙液中のタンパク質の含有量の測定を行なうことが可能となり、コンタクトレンズを使い始める前に、コンタクトレンズに付着する汚れ量を推測して、装用者に将来的に起こり得る、コンタクトレンズの装用感の悪化や酸素透過性能の低下、レンズ寿命の低下、視力の低下、角膜障害等といった様々な問題を予測することが出来るようになるのである。
【００１２】
なお、かかる本発明に従う涙液分析試薬における好ましい態様の一つによれば、涙液分析試薬のｐＨが、３以下であることが望ましい。このようなｐＨを採用することで、より高感度で、タンパク質を検出することが出来る。
【００１３】
また、本発明は、上述せる如き涙液分析試薬に対し、涙液を接触せしめることにより、涙液中のタンパク質の含有量を検出する涙液分析方法をも、その要旨とするものである。
【００１４】
このように、上述せる如き涙液分析試薬を用いれば、涙液を接触せしめるだけの操作で、短時間に、簡易且つ安価に、涙液中のタンパク質の含有量を検出することが可能となる。
【００１５】
また、前記涙液を涙液分析試薬に接触せしめる手法としては、涙液を予め所定の涙液採取媒体に採取した後、該涙液採取媒体を、前記涙液分析試薬に接触せしめる手法が、好適に採用され得る。
【００１６】
なお、前記涙液採取媒体としては、糸、紙、中空管、ポリマーフィルム、又はスポンジが、有利に用いられ得る。
【００１７】
さらに、本発明に従う涙液分析方法の好ましい態様の一つによれば、テトラブロモフェノールブルー（発色試薬）が用いられ、涙液中のタンパク質の含有量を、色の濃淡（発色の程度）によって、検出することが可能であるところから、前記タンパク質の含有量の検出には、比色分析法、分光分析法、又はそれらの分析法を組み合わせた分析法が、好適に採用され得ることとなる。これにより、従来手法に比して、より一層低廉に、タンパク質の分析を実施することが可能となっているのである。
【００１８】
【発明の実施の形態】
ところで、本発明に従う涙液分析試薬には、タンパク質と呈色反応を生じる発色試薬として、テトラブロモフェノールブルー（ＴＢＰＢ）が、用いられることとなる。このテトラブロモフェノールブルーは、ブロモフェノールブルーやブロモクロロフェノールブルー等と同様に、トリフェニルメタン系の色素の一つであるが、かかるテトラブロモフェノールブルーは、トリフェニルメタン系色素の中でも、特に、室温において、各種のタンパク質と、瞬時に且つ定量的に呈色反応を起こし易く、また、呈色時の色調の変化も顕著であるといった特徴を有している。また、テトラブロモフェノールブルーは、ｐＨが３より低い場合には黄色を呈し、また、ｐＨが３より高い場合には、緑色を呈するところから、酸塩基指示薬としても用いられているものであり、タンパク質と会合する場合にあっても、黄色から緑色に変化する発色試薬である。
【００１９】
そして、本発明にあっては、上述せる如きテトラブロモフェノールブルーが、所定の溶媒に溶解，含有せしめられることによって、涙液中のタンパク質の含有量（一般に、５〜９μｇ／μＬ程度）を検出するための涙液分析試薬が調製されることとなるのであるが、かかるテトラブロモフェノールブルーの濃度としては、３０〜１５０ｐｐｍ、好ましくは、６０〜１３０ｐｐｍ、更に好ましくは、１２０ｐｐｍ程度が採用されることとなる。けだし、かかるテトラブロモフェノールブルーの濃度が、１５０ｐｐｍを超えるようになると、テトラブロモフェノールブルー自体の色が濃くなり過ぎて、タンパク質による色調の変化を識別することが出来なくなるからであり、一方、３０ｐｐｍに満たない場合には、涙液分析試薬中に含まれるテトラブロモフェノールブルーの絶対量が少なくなり過ぎて、涙液中のタンパク質量が多い場合、タンパク質が試薬と定量的に会合することが出来ず、色調の変化が見られなくなって正確な定量を実現し得なくなるからである。
【００２０】
なお、テトラブロモフェノールブルーを溶解するための溶媒としては、上述せる如き濃度のテトラブロモフェノールブルー、及びテトラブロモフェノールブルーとタンパク質との会合体を溶解し得る液体であれば、特に限定されるものではない。具体的には、水、メタノール、エタノール、アセトン、及びこれらのうちの２種以上を組み合わせた混合液等を例示することが出来る。こららの中でも、人体への安全性を考慮すると、水、エタノール、及び水−エタノール混合液が、特に、好適に用いられることとなる。
【００２１】
また、テトラブロモフェノールブルーは、上述せるように、ｐＨが高くなると、ヒドロキシル基の水素が解離することによって、緑色を呈するようになり、タンパク質−テトラブロモフェノールブルー会合体との識別が困難となるところから、本発明に従う涙液分析試薬は、ｐＨが３以下、より好適には、ｐＨが２．９以下となるようにｐＨの調整が行なわれることが望ましい。また、ｐＨの下限としては、テトラブロモフェノールブルーとタンパク質とが、室温において、効果的に会合し得るように、２以上とされることが、より一層望ましい。
【００２２】
なお、かかる涙液分析試薬のｐＨを３以下にするには、従来から公知のｐＨ調製剤やｐＨ緩衝剤が適宜に選択されて用いられ得るのであり、例えば、リン酸、塩酸、硫酸、硝酸等の酸を例示することが出来る。
【００２３】
さらに、本発明に従う涙液分析試薬には、必要に応じて、ブチルヒドロキシトルエン等の安定化剤、ラウリル硫酸ナトリウム等の可溶化剤等、各種の添加剤が、適宜に選択されて、含有せしめられも、何等差し支えない。なお、それらの添加剤は、テトラブロモフェノールブルーとタンパク質との呈色反応を良好に実現するために用いられるものであり、そういった要件を満たす量的範囲内で用いられることとなる。
【００２４】
また、本発明に従う涙液分析試薬を調製するにあたっては、何等特殊な方法を必要とせず、通常の溶液を調製する場合と同様に、媒体中に各成分を溶解させることにより、容易に得ることが出来る。
【００２５】
以上のようにして得られる本発明に従う涙液分析試薬にあっては、発色試薬として、テトラブロモフェノールブルーが採用されていると共に、その濃度が、３０〜１５０ｐｐｍとされているところから、微量の涙液であっても、短時間で、簡易に且つ安価に、タンパク質の含有量を検出することが出来るのである。
【００２６】
そして、本発明に従う涙液分析試薬を用いて、涙液中のタンパク質の含有量を検出するに際しては、上記の涙液分析試薬に対し、涙液を接触せしめ、その発色の程度によって、涙液中のタンパク質含有量の検出をすればよい。
【００２７】
より具体的には、先ず、被験者の眼から涙液を、所定の涙液採取媒体に採取し、この涙液採取媒体を、上述せる如き涙液分析試薬に浸漬することにより、微量の涙液を、涙液分析試薬に接触せしめるのである。このようにすれば、涙液採取媒体に含浸乃至は含有された涙液が、涙液分析試薬中に浸出して、涙液中のタンパク質が、涙液分析試薬中のテトラブロモフェノールブルーと会合し、黄色から緑色への色調の変化が、短時間で、起こる。
【００２８】
この際、涙液分析試薬の使用量としては、涙液の０．１〜３μＬに対し、１〜１０００μＬとなる量、好ましくは、涙液の１μＬに対し、１０〜１００μＬとなる量が、望ましい。けだし、かかる使用量が少な過ぎる場合には、テトラブロモフェノールブルーの絶対量が少なくなって、定量を行なうことが困難となったり、また、涙液採取媒体を涙液分析試薬中に浸漬せしめることが不可能となる恐れがあるからであり、一方、使用量が多くなり過ぎると、タンパク質とテトラブロモフェノールブルーとの会合による色調の変化を識別することが困難となるからである。
【００２９】
また、上記した涙液採取媒体としては、微量の涙液を効率的に採取出来るものが好ましく、例えば、販売元が（株）メニコンである商品名「ＺＯＮＥ−ＱＵＩＣＫ」のような糸や、シルマー試験紙のような紙、キャピラリー管のような中空管、ポリマーフィルム、多孔性シートやドライの吸水性シート等のシート、スポンジ等を挙げることが出来る。また、かかる涙液採取媒体にあっては、定量性をより一層向上せしめるべく、一定量の涙液を採取することが出来るように、長さや面積、体積等が適宜に設定されていることが望ましい。なお、涙液の採取量が各人によって変動するような場合には、かかる涙液採取量を、上記した採取媒体において涙液が含浸，吸水せしめられた部分の長さや面積、体積から算出することも、可能であり、そして、そのようにして求められた涙液採取量から、涙液中におけるタンパク質の濃度を、より一層正確に求めることが出来る。
【００３０】
そして、かかるタンパク質とテトラブロモフェノールブルーとの呈色反応による発色（呈色）の程度を、比色分析法や分光分析法、又はそれらを組み合わせた分析法により、目視や、分光光度計、カラーＣＣＤカメラ、分光フィルターと光検出器を組合せたもの等を用いて検出することによって、涙液中のタンパク質の含有量を、極めて容易に且つ安価に求めることが出来るのである。
【００３１】
なお、比色分析法にてタンパク質の含有量を検出する場合には、標準色溶液等の色調見本が準備され、かかる色調見本と発色した分析試薬との色調乃至は色の濃さが、目視等にて比較されることによって、タンパク質量が検出され得る。
【００３２】
一方、分光分析法にてタンパク質の含有量を検出する場合には、分光光度計等にて、タンパク質−テトラブロモフェノールブルー会合体の特異的な吸収波長（極大吸収波長）である、６２４ｎｍでの吸光度を測定したり、また、カラーＣＣＤカメラを用いて、発色した分析試薬の色度を測定したり、或いは、分光フィルターと光検出器とを組み合わせた装置を用いて、発色した分析試薬からの反射光や透過光の、特定波長域における輝度を測定する等して、タンパク質量が検出されることが望ましい。
【００３３】
このように、本発明に従って涙液を分析すれば、涙液を涙液分析試薬に接触せしめるだけの簡単な操作で、短時間に、また、簡易且つ安価に、涙液中のタンパク質の含有量を検出することが可能である。
【００３４】
このため、コンタクトレンズの購入や選定に際して、装用者に大きな経済的負担をかけることなく、また、検査の煩わしさを与えることも無く、涙液中のタンパク質の含有量の測定を行なうことが可能となり、コンタクトレンズを使い始める前に、コンタクトレンズに付着するであろうタンパク質汚れの量を推測して、装用者に将来的に起こり得る、コンタクトレンズの装用感の悪化や酸素透過性能の低下、レンズ寿命の低下、視力の低下、角膜障害等といった様々な問題を予測し、予防することが出来るようになるのである。
【００３５】
以上、本発明の代表的な実施形態について詳述してきたが、それは、あくまでも例示に過ぎないものであって、本発明は、そのような実施形態に係る具体的な記述によって、何等限定的に解釈されるものではないことが、理解されるべきである。
【００３６】
例えば、上記の実施形態では、涙液を、涙液分析試薬に接触せしめる手法として、被験者の涙液を、涙液採取媒体に含浸乃至は含有せしめ、そして、この涙液を含む涙液採取媒体を涙液分析試薬に浸漬する手法を例示したが、涙液採取媒体として、キャピラリー等の中空管を用いる場合には、中空管を涙液分析試薬に浸漬することなく、涙液のみを、分析試薬中に加えることも可能である。
【００３７】
その他、一々列挙はしないが、本発明が、当業者の知識に基づいて、種々なる変更、修正、改良等を加えた態様において実施され得るものであり、また、そのような実施態様が、本発明の趣旨を逸脱しない限り、何れも、本発明の範囲内に含まれるものであることは、言うまでもないところである。
【００３８】
【実施例】
以下に、本発明の代表的な実施例を示し、本発明を更に具体的に明らかにすることとするが、本発明が、そのような実施例の記載によって、何等の制約をも受けるものでないことは、言うまでもないところである。
【００３９】
実施例  １
先ず、エタノールと、２０ｍｍｏｌ／Ｌのリン酸水溶液（２０ｍＭリン酸）とを、７：３の容量比となるように混合した。そして、この混合溶媒に、テトラブロモフェノールブルー（ＴＢＰＢ）を溶解することにより、ＴＢＰＢ濃度が、６０ｐｐｍである、涙液分析試薬を調製した。
【００４０】
一方、リゾチームを水に溶解して、濃度が異なる４種のタンパク質の標準液（２．５、５．０、７．５、１０．０μｇ／μＬ）を調製した。なお、かかるタンパク質標準液の濃度は、涙液中のタンパク質濃度が５〜９μｇ／μＬ程度であることを鑑みて、設定した。
【００４１】
そして、これら４種のタンパク質標準液の各１００μＬ、及びリゾチームが含有せしめられていない、ただの水の１００μＬに対し、上記で得られた涙液分析試薬の６ｍＬを、それぞれ加えた。
【００４２】
その後、それぞれの溶液を、目視にて観察したところ、タンパク質標準液のタンパク質濃度が２．５→５．０→７．５→１０．０μｇ／μＬと、大きくなるに従って、涙液分析試薬の色が、黄色→薄い黄緑色→濃い黄緑色→緑色となった。このため、目視によっても、タンパク質濃度を充分に定量することが可能であることを、確認することが出来た。
【００４３】
また、紫外可視分光光度計（島津製作所製：ＵＶ−３１５０）を用いて、６種の溶液の波長：６２６ｎｍにおける吸光度を測定し、得られた吸光度値を、下記表１に示すと共に、吸光度とタンパク質濃度の関係を表わすグラフを、図１に示した。かかる図１からも明らかなように、吸光度が、タンパク質量に比例して直線的に増加しており、吸光度を測定することで、涙液中のタンパク質の含有量を定量することが可能であることが、認められる。
【００４４】
【表１】
2004347481.tif 000002
【００４５】
実施例  ２
涙液採取媒体として、前記した「ＺＯＮＥ−ＱＵＩＣＫ」（販売元：（株）メニコン）を用い、被験者１０人の涙液を、それぞれ、採取した。次いで、これらのＺＯＮＥ−ＱＵＩＣＫの涙液が染み込んだ部位（約１ｃｍ、涙液量：１μＬ程度）を、実施例１で調製した涙液分析試薬の６０μＬに浸漬して発色させた。この溶液の色調を、実施例１で濃度の異なるタンパク質標準液を発色させた液と比べ、色調を比較し、２．５μｇ／μＬ未満、２．５〜５．０μｇ／μＬ、５．０〜７．５μｇ／μＬ、７．５〜１０．０μｇ／μＬ、１０．０μｇ／μＬ以上の５段階にグレード分けし、結果を下記表２に示した。
【００４６】
【表２】
2004347481.tif 000003
【００４７】
上記表２に示されるように、涙液中に含まれるタンパク質の濃度を、容易にグレード分けすることが可能であった。
【００４８】
実施例  ３
エタノールと、２０ｍｍｏｌ／Ｌのリン酸水溶液（２０ｍＭリン酸）とを、７：３の容量比となるように混合した混合液を、溶媒として用い、これに、所定量のテトラブロモフェノールブルー（ＴＢＰＢ）、ブロモフェノールブルー（ＢＰＢ）又はブロモクロロフェノールブルー（ＢＣＰＢ）を溶解することにより、下記表３に示されるＡ〜Ｇに係る、涙液分析試薬を調製した。
【００４９】
一方、リゾチーム濃度（タンパク質濃度）が異なる６種の水溶液（０、２、４、６、８、１０μｇ／μＬ）を調製した。
【００５０】
そして、これら６種の水溶液の各１００μＬに対し、上記で調製された涙液分析試薬の６ｍＬを、それぞれ加え、涙液分析試薬毎に、発色試薬の色調の変化を観察し、定量が可能であるかどうか、評価を行ない、その結果を、下記表３に示した。なお、６通りのタンパク質濃度毎に色が異なり、視覚的に識別が容易であるものについては、○印を、タンパク質濃度の識別が困難であるものに対しては、×印を付けた。
【００５１】
【表３】
2004347481.tif 000004
【００５２】
上記表３からも明らかなように、ＴＢＰＢ濃度が６０ｐｐｍ又は１２２ｐｐｍである涙液分析試薬Ａ，Ｂにあっては、極めて容易にタンパク質の定量を行なうことが可能である。これに対し、ＴＢＰＢ濃度が１７２ｐｐｍである涙液分析試薬Ｃや、発色試薬の異なる涙液分析試薬Ｄ〜Ｇにあっては、涙液中に含まれるタンパク質の定量を、容易に実施することが出来ない。
【００５３】
【発明の効果】
以上の説明からも明らかなように、本発明に従う涙液分析試薬及びそれを用いた涙液分析方法によれば、従来の、長い検出時間を要したり、検出操作が煩雑であったり、高いコストが掛かる分析手法を用いることなく、短時間で、簡易に且つ安価に、タンパク質の含有量を有利に検出することが出来るのである。
【００５４】
従って、コンタクトレンズの購入時や選定時等に、装用者に大きな経済的負担をかけることなく、また、検査の煩わしさを与えることも無く、涙液中のタンパク質の含有量の測定を行なうことが可能となり、コンタクトレンズを使い始める前に、コンタクトレンズに付着する汚れ量を推測して、装用者に将来的に起こり得る、コンタクトレンズの装用感の悪化や酸素透過性能の低下、レンズ寿命の低下、視力の低下、角膜障害等といった様々な問題を予測し、予防することが出来るようになるのである。
【図面の簡単な説明】
【図１】実施例１において得られた、吸光度とタンパク質濃度の関係を表わすグラフである。
【図１】
2004347481.tif 000005